(57)【特許請求の範囲】
【請求項１】
コンピュータから受信した投影画像を、投影手段によってスクリーンに順次投影するプロジェクタであって、
記憶装置と、
前記受信した投影画像が、直前に投影していた投影画像から変化したか否かを検出する検出手段と、
前記受信した投影画像が、前記直前に投影していた投影画像から変化した場合に、前記受信した投影画像を前記記憶装置に順次記録する記録手段と、
前記受信した投影画像が均一な画像であるか否かを判断する均一画像判断手段と、
前記受信した投影画像が均一な画像であると前記均一画像判断手段が判断した場合、前記受信した投影画像の直前に投影していた投影画像を縮小したサムネイル画像を生成し、前記記憶装置に記録するサムネイル生成手段と、
前記投影手段により前記スクリーンに複数の前記サムネイル画像を並べて投影すると共に、前記複数のサムネイル画像の一つを利用者に選択させる選択入力手段と、
前記サムネイル画像が選択された場合に、一つ前のサムネイル画像が記録されてから選択された前記サムネイル画像が記録されるまでの間に、前記記録手段により前記記憶装置に記録された前記投影画像を読み出す読出手段と
を備え、
前記投影手段は、読み出された前記投影画像を前記スクリーンへ順次投影するプロジェクタ。
【請求項２】
コンピュータから受信した投影画像を、投影手段によってスクリーンに投影するプロジェクタを制御するプロジェクタ制御方法であって、
前記受信した投影画像が、直前に投影していた投影画像から変化したか否かを検出する検出ステップと、
前記受信した投影画像が、前記直前に投影していた投影画像から変化した場合に、前記受信した投影画像を、前記プロジェクタが有する記憶装置に順次記録する記録ステップと、
前記受信した投影画像が均一な画像であるか否かを判断する均一画像判断ステップと、
前記受信した投影画像が均一な画像であると前記均一画像判断ステップで判断した場合、前記受信した投影画像の直前に投影していた投影画像を縮小したサムネイル画像を生成し、前記記憶装置に記録するサムネイル生成ステップと、
前記投影手段により前記スクリーンに複数の前記サムネイル画像を並べて投影すると共に、前記複数のサムネイル画像の一つを利用者に選択させる選択入力ステップと、
前記サムネイル画像が選択された場合に、一つ前のサムネイル画像が記録されてから選択された前記サムネイル画像が記録されるまでの間に、前記記録ステップにより前記記憶装置に記録された前記投影画像を読み出す読出ステップと
を備え、
前記投影手段は、読み出された前記投影画像を前記スクリーンへ順次投影するプロジェクタ制御方法。
【請求項３】
コンピュータから受信した投影画像を、投影手段によってスクリーンに順次投影するプロジェクタに働きかけて動作させるプログラムであって、前記プロジェクタに、
前記受信した投影画像が、直前に投影していた投影画像から変化したか否かを検出する検出機能と、
前記受信した投影画像が、前記直前に投影していた投影画像から変化した場合に、前記受信した投影画像を、前記プロジェクタが有する記憶装置に順次記録する記録機能と、
前記受信した投影画像が均一な画像であるか否かを判断する均一画像判断機能と、
前記受信した投影画像が均一な画像であると前記均一画像判断機能が判断した場合、前記受信した投影画像の直前に投影していた投影画像の縮小したサムネイル画像を生成し、前記記憶装置に記録するサムネイル生成機能と、
前記投影手段により前記スクリーンに複数の前記サムネイル画像を並べて投影すると共に、前記複数のサムネイル画像の一つを利用者に選択させる選択入力機能と、
前記サムネイル画像が選択された場合に、一つ前のサムネイル画像が記録されてから選択された前記サムネイル画像が記録されるまでの間に、前記記録機能により前記記憶装置に記録された前記投影画像を読み出す読出機能と
を実現させ、
前記投影手段は、読み出された前記投影画像を前記スクリーンへ順次投影するプログラム。
【発明の詳細な説明】
【技術分野】
【０００１】
本発明は、プロジェクタ、プロジェクタ制御方法、及びプログラムに関する。特に本発明は、コンピュータから受信した投影画像を、投影手段によって順次スクリーンに投影させるプロジェクタに関する。
【背景技術】
【０００２】
従来、例えば会議等において発表すべき資料を記録したメモリカードをプロジェクタに挿入することにより、資料を投影させるプロジェクタが知られている（例えば、特許文献１参照）。
【特許文献１】特開２０００−２６７１８７号公報
【発明の開示】
【発明が解決しようとする課題】
【０００３】
しかしながらプロジェクタの利用者は、発表が終了した後に、発表された資料を再度スクリーンへ投影させて、その内容を確認したい場合がある。このような場合、メモリカードが持ち去られてしまうと、発表された資料の内容を確認することができなかった。またプロジェクタは、接続されたコンピュータから発表資料を受信して、スクリーンへ表示させる場合があるが、このような場合においても、コンピュータが接続されていないと、資料の内容を確認することができなかった。
【０００４】
そこで本発明は、上記の課題を解決することのできるプロジェクタ、プロジェクタ制御方法、及びプログラムを提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第１の形態においては、コンピュータから受信した投影画像を、投影手段によってスクリーンに順次投影するプロジェクタであって、記憶装置と、受信した投影画像が、直前に投影していた投影画像から変化したか否かを検出する検出手段と、受信した投影画像が、直前に投影していた投影画像から変化した場合に、受信した投影画像を記憶装置に順次記録する記録手段とを備える。このように本発明のプロジェクタは、このプロジェクタを用いて投影された発表資料を記録するので、プロジェクタの利用者は、予め発表資料が記録された記憶媒体が持ち去られた場合であっても、発表の終了後に、その内容を確認することができる。またプロジェクタの利用者は、発表資料を格納したコンピュータに接続されていなくても、発表の終了後に、その内容を確認することができる。
【０００６】
受信した投影画像を縮小したサムネイル画像を生成するサムネイル生成手段と、受信した投影画像が均一な画像であるか否かを判断する均一画像判断手段とを更に備え、受信した投影画像が均一な画像であると均一画像判断手段が判断した場合、サムネイル生成手段は、受信した投影画像の直前に投影していた投影画像のサムネイル画像を生成し、記憶装置に記録してよい。
【０００７】
ここで、投影画像がパワーポイント（登録商標）等のプレゼンテーション資料である場合、発表の進行に従って、１つのスライドにオブジェクトが追加されていくことが多い。このような場合、次の新しいスライドへ移る直前のスライドには、そのスライドの説明に使用された全てのオブジェクトが表示されている。従って、あるスライドの内容を確認したい場合、全てのオブジェクトが表示された状態のスライドを確認することが好ましい。そして、１つのスライドが終了し、次の新しいスライドへと移行する変わり目では、通常、略均一な投影画像が、例えばコンピュータから出力される。本発明におけるプロジェクタは、出力される画像が、略均一な画像であるかを判断するので、スライドの変わり目を知ることができる。そして、スライドの変わり目において、サムネイル生成手段は、次のスライドに移る直前のスライドをサムネイル画像として記録するので、本発明におけるプロジェクタは、各スライドを最も情報量の多い状態で記録することができる。そしてプロジェクタの利用者は、スライドの内容を、一目で把握することができる。
【０００８】
上記のプロジェクタは、投影手段によりスクリーンに複数のサムネイル画像を並べて投影すると共に、複数のサムネイル画像の一つを利用者に選択させる選択入力手段と、サムネイル画像が選択された場合に、一つ前のサムネイル画像が記録されてから選択されたサムネイル画像が記録されるまでの間に、記録手段により記憶装置に記録された投影画像を読み出す読出手段とを更に備え、投影手段は、読み出された投影画像をスクリーンへ順次投影してよい。これによりプロジェクタの利用者は、各スライドの内容を詳細に確認することができる。
【０００９】
本発明の第２の形態においては、コンピュータから受信した投影画像を、投影手段によってスクリーンに順次投影するプロジェクタを制御するプロジェクタ制御方法であって、受信した投影画像が、直前に投影していた投影画像から変化したか否かを検出する検出ステップと、受信した投影画像が、直前に投影していた投影画像から変化した場合に、受信した投影画像をプロジェクタが有する記憶装置に順次記録する記録ステップとを備える。これにより第１の実施形態と同様の効果を得ることができる。
【００１０】
プロジェクタ制御方法は、受信した投影画像を縮小したサムネイル画像を生成するサムネイル生成ステップと、受信した投影画像が均一な画像であるか否かを判断する均一画像判断ステップとを更に備え、受信した投影画像が均一な画像であると均一画像判断ステップで判断した場合、サムネイル生成ステップは、受信した投影画像の直前に投影していた投影画像のサムネイル画像を生成し、記憶装置に記録してもよい。これにより第１の実施形態と同様の効果を得ることができる。
【００１１】
本発明の第３の形態においては、コンピュータから受信した投影画像を、投影手段によってスクリーンに順次投影するプロジェクタに働きかけて動作させるプログラムであって、プロジェクタに、受信した投影画像が、直前に投影していた投影画像から変化したか否かを検出する検出機能と、受信した投影画像が、直前に投影していた投影画像から変化した場合に、受信した投影画像をプロジェクタが有する記憶装置に順次記録する記録機能とを実現させる。これにより第１の実施形態と同様の効果を得ることができる。
【００１２】
上記プログラムは、プロジェクタに、受信した投影画像を縮小したサムネイル画像を生成するサムネイル生成機能と、受信した投影画像が均一な画像であるか否かを判断する均一画像判断機能とを更に実現させ、受信した投影画像が均一な画像であると均一画像判断機能が判断した場合、サムネイル生成機能は、受信した投影画像の直前に投影していた投影画像のサムネイル画像を生成し、記憶装置に記録してよい。これにより第１の実施形態と同様の効果を得ることができる。
【００１３】
なお、上記の発明の概要は、本発明の必要な特徴の全てを列挙したものではなく、これらの特徴群のサブコンビネーションもまた、発明となりうる。
【発明を実施するための最良の形態】
【００１４】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１５】
図１は、本発明の実施形態に係るプロジェクタ１０の利用形態を示す。プロジェクタ１０は、投影画像を出力するコンピュータ２０に接続され、例えばパワーポイント（登録商標）等のプレゼンテーションソフトウエアで作成された投影画像を受け取る。或いは、プロジェクタ１０は、投影画像を記録したメモリカード２５が挿入され、記録された投影画像を受け取る。そしてプロジェクタ１０は、受け取った投影画像をスクリーン４０へ表示する。ここで従来のプロジェクタにおいては、会議が終了した後に、発表資料の内容をスクリーンへ投影させて確認したい場合、発表資料が記録された記憶媒体が無いとその内容を確認することができない。またプロジェクタは、接続されたコンピュータから発表資料を受け取りスクリーンへ表示させる場合があるが、この場合においてもコンピュータが接続されていないと、資料の内容を確認することができない。そこで本発明においては、初回の投影時には投影画像を記録し、その次の投影時には、記録された投影画像を縮小したサムネイル画像を表示させることにより、利用者が資料の内容を確認できるプロジェクタ１０を提供することを目的とする。
【００１６】
図２は、プロジェクタ１０の使用例を説明する図である。本例では、パワーポイント（登録商標）を用いて作成された発表資料を、プロジェクタ１０がスクリーン４０に投影する場合を想定している。パワーポイント（登録商標）で作成された資料は、複数のスライドを有する。また１つのスライドは、文字や図面等の複数のオブジェクトから構成される。プロジェクタ１０は、プロジェクタ１０の利用者の指示に従って、これらのオブジェクトを随時追加しながらスライド画像をスクリーン４０に投影する。スクリーン４０ａ〜ｆは、初回の撮像時に、プロジェクタ１０がスライドを投影する様子を示している。
【００１７】
スクリーン４０ａ〜ｃに示すように、プロジェクタ１０は、文字オブジェクト４０２や文字オブジェクト４０４を順次追加しながら、スライド画像を投影する。そして、スクリーン４０ｃは、追加すべきオブジェクトがすべて表示された場合のスライド画像を示している。一つのスライドの発表が終わると、プロジェクタ１０は、スクリーン４０ｄに示すように次の新たなスライド画像を投影する。尚、本例では簡単のために、四角で文字が記載されている様子を示している。
【００１８】
ここでプロジェクタ１０は、スクリーン４０ａ〜ｃに示されたように、前のスライド画像とは異なるスライド画像を、順次記録する。またプロジェクタ１０は、スクリーン４０ｃに示すように、追加すべきオブジェクトがすべて表示されたスライドのサムネイル画像４３５を生成し、記録する。同様にして、スクリーン４０ｄ〜ｆに示されるように、複数のオブジェクト４０６が順次追加されたスライド画像を記録すると共に、スクリーン４０ｆに投影されたスライドのサムネイル画像４４５を生成し、記録する。
【００１９】
スクリーン４０ｇは、次回の投影時に、プロジェクタ１０がスライドを投影する様子を示している。プロジェクタ１０は、記録した複数のサムネイル画像４３５、及び４４５を、並べてスクリーン４０に表示する。そしてプロジェクタ１０の利用者によりサムネイル画像が選択されると、そのサムネイル画像に対応する投影画像をスクリーン４０に表示する。例えばサムネイル画像４３５が利用者に選択されると、プロジェクタ１０は、スクリーンａ〜スクリーン４０ｃに示されるスライドを、順次、表示する。
【００２０】
図３は、プロジェクタ１０のブロック図の一例を示す。プロジェクタ１０は、投影手段１００、記憶装置１５０、検出手段１６０、記録手段１７０、均一画像判断手段１８０、サムネイル生成手段１９０、読出手段２００、選択入力手段２１０、及び記録媒体２２０を備える。
【００２１】
投影手段１００、検出手段１６０及び均一画像判断手段１８０のそれぞれは、カラービデオ信号等の電子データをコンピュータ２０、又はメモリカード２５から受け取る。投影手段１００は、受け取った電子データに基づいて投影画像を生成し、スクリーン４０へ投影画像を投影する。
【００２２】
検出手段１６０は、受信した投影画像が、直前に投影していた投影画像から変化したか否かを検出し、投影画像が変化した旨を記録手段１７０へ通知する。投影画像が変化した場合、記録手段１７０は、受信した投影画像が、直前に投影していた投影画像から変化した場合に、受信した投影画像を記憶装置１５０に順次記録する。
【００２３】
ここで、１つのスライドには、発表の進行に従って、オブジェクトが追加されていくので、次のスライドへ移る直前のスライドには、そのスライドの説明に利用された全てのオブジェクトが表示されている。従って、あるスライドの概要を確認したい場合、このように全てのオブジェクトが表示されたスライドを確認することが好ましい。そして、１つのスライドが終了し、次の新しいスライドへと移行する変わり目では、通常、略均一な投影画像が、例えばコンピュータから出力される。そこで均一画像判断手段１８０は、受信した投影画像が均一な画像であるか否かを判断し、判断した結果をサムネイル生成手段１９０へ通知する。
【００２４】
受信した投影画像が均一な画像であると均一画像判断手段が判断した場合、サムネイル生成手段１９０は、受信した投影画像のサムネイル画像を生成する。サムネイル生成手段１９０は、受信した投影画像の直前に投影していた投影画像のサムネイル画像を生成し、記憶装置１５０に記録する。
【００２５】
発表が終了した後、記録された発表資料をスクリーン４０へ投影する場合、選択入力手段２１０は、投影手段１００によりスクリーンに複数のサムネイル画像を並べて投影させると共に、複数のサムネイル画像の一つを、プロジェクタ１０の利用者に選択させる。選択入力手段２１０は、いずれのサムネイル画像が選択されたかを、読出手段２００へ通知する。
【００２６】
読出手段２００は、サムネイル画像が選択された場合に、一つ前のサムネイル画像が記録されてから選択されたサムネイル画像が記録されるまでの間に、記録手段１７０により記憶装置１５０に記録された投影画像を読み出す。ここで投影手段１００は、読み出された投影画像をスクリーン４０へ順次投影する。
【００２７】
記録媒体２２０は、プロジェクタ１０に、投影手段１００、検出手段１６０、記録手段１７０、均一画像判断手段１８０、サムネイル生成手段１９０、読出手段２００、及び選択入力手段２１０として機能させるプログラムを格納する。記録媒体２２０は、例えばＤＶＤ、ＰＤ等の光学記録媒体、ＭＤ等の光磁気記録媒体、テープ媒体、磁気記録媒体、または半導体記録装置等であってよい。プロジェクタ１０は、これらのプログラムを、記録媒体２２０から読み取って実行する。また、プロジェクタ１０は、通信回線やコンピュータ２０を介して、これらのプログラムを取得してもよい。
【００２８】
図４は、記憶装置１５０に格納されるデータ構成の一例を示す。記憶装置１５０は、投影画像を、記録した順番に対応づけて格納する。本例において、均一画像判断手段１８０が投影画像Ｂ１を均一な画像であると判断すると、サムネイル生成手段１９０は、投影画像Ｂ１よりも１つ前に記録されていた投影画像Ａ３のサムネイル画像Ｘ１を生成し、記憶装置１５０に記録する。また、選択入力手段２１０によって、サムネイル画像Ｘ１が選択されると、読出手段２００は、投影画像Ａ１〜Ａ３を読出し、投影手段１００はこれらの画像をスクリーン４０に順次表示する。
【００２９】
図５は、初回の投影時におけるプロジェクタ１０の動作の一例を示すフローチャートである。投影手段１００、検出手段１６０、及び均一画像判断手段１８０は、投影画像をコンピュータ２０より受信する（Ｓ１００）。そして検出手段１６０が、受信した投影画像が変化したと判断した場合（Ｓ１０５  ＹＥＳ）、記録手段１７０は、受信した投影画像を記憶装置１５０に記録する（Ｓ１１０）。この場合、検出手段１６０は、以前に受信した画像と、新たに受信した画像とを比較し、画素毎に画素値の差分を求めて合計する。この合計値が、予め定めた基準値よりも大きい場合、記録手段１７０は、新たに受信した画像が変化したと判断する。投影画像が変化していない場合（Ｓ１０５  ＮＯ）、本フローチャートの処理は、Ｓ１００へ戻る。
【００３０】
均一画像判断手段１８０が、略均一な投影画像が受信したと判断した場合（Ｓ１１５  ＹＥＳ）、サムネイル生成手段１９０は、略均一な投影画像の直前に投影された投影画像のサムネイル画像を生成する（Ｓ１２０）。本例における均一画像判断手段１８０は、受信した投影画像のフレーム内の隣接する画像毎に、画素値の差分を求めて合計する。この合計値が予め定められた基準値よりも小さい場合、均一画像判断手段１８０は、受信した投影画像が均一であると判断する。これにより均一画像判断手段１８０は、スライドの変わり目を知ることができる。そしてサムネイル生成手段１９０は、次のスライドに移る直前のスライドをサムネイル画像として記録するので、それぞれのスライドを最も情報量の多い状態で記録することができる。
【００３１】
発表が終了していない場合（Ｓ１２５  ＮＯ）、本フローチャートの処理はＳ１００へ戻る。発表が終了した場合（Ｓ１２５  ＹＥＳ）、本フローチャートの処理は終了する。これにより、プロジェクタの利用者は、発表資料が予め記録された記憶媒体が無くても、発表資料の投影が終了した後に、その内容を確認することができる。
【００３２】
図６は、次の投影時におけるプロジェクタ１０の動作の一例を示すフローチャートである。投影が開始されると、読出手段２００は、記憶装置１５０より記録されたサムネイル画像を読み出し、投影手段１００へ与える。投影手段１００は、受け取ったサムネイル画像を、並べてスクリーン４０に表示する（Ｓ２００）。そして選択入力手段２１０は、並べて表示された複数のサムネイル画像の一つを、プロジェクタ１０の利用者に選択させる。ここで所定の時間内で選択入力手段２１０により１つのサムネイル画像が選択されると（Ｓ２０５  ＹＥＳ）、読出手段２００は、１つ前のサムネイル画像が記録されてから選択されたサムネイル画像が記録されているまでの間に、記録手段１７０により記録されていた投影画像を順次読み出し、投影手段１００へ出力する。すると投影手段１００は、記録されていた投影画像をスクリーン４０に順次表示する（Ｓ２１０）。全ての投影画像が表示されると、本フローチャートの処理は、Ｓ２００へ戻り、投影手段１００は、サムネイル画像を並べて表示する処理を続ける。これによりプロジェクタの利用者は、各スライドの内容を詳細に確認することができる。そして、所定の時間が経過してもサムネイル画像が選択されない場合（Ｓ２０５  ＮＯ）、本フローチャートの処理は終了する。
【００３３】
尚、本例において、サムネイル画像が選択された場合、読出手段２００は、１つ前のサムネイル画像が記録されてから選択されたサムネイル画像が記録されているまでの間に、記録手段１７０により記録されていた投影画像を順次読み出したが、他の例においては、利用者が選択入力手段２１０へ入力を与え、この与えられた入力に基づいて、記録手段１７０により記録されていた投影画像を順番に読み出してもよい。
【００３４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００３５】
【図１】本発明の実施形態に係るプロジェクタ１０の利用形態を示す図である。
【図２】プロジェクタ１０の使用例を説明する図である。
【図３】プロジェクタ１０のブロック図の一例を示す図である。
【図４】記憶装置１５０に格納されるデータの一例を示す図である。
【図５】初回の投影時におけるプロジェクタ１０の動作の一例を示すフローチャートである。
【図６】次の投影時におけるプロジェクタ１０の動作の一例を示すフローチャートである。
【符号の説明】
【００３６】
１０・・・プロジェクタ、２０・・・コンピュータ、２５・・・メモリカード、４０、４０ａ〜４０ｆ・・・スクリーン、４０２、４０４・・・文字オブジェクト、４０６・・・オブジェクト、４３５、４４５・・・サムネイル画像、１００・・・投影手段、１５０・・・記憶装置、１６０・・・検出手段、１７０・・・記録手段、１８０・・・均一画像判断手段、１９０・・・サムネイル生成手段、２００・・・読出手段、２１０・・・選択入力手段、２２０・・・記録媒体
【図１】
0004622247.tif 000002
【図２】
0004622247.tif 000003
【図３】
0004622247.tif 000004
【図４】
0004622247.tif 000005
【図５】
0004622247.tif 000006
【図６】
0004622247.tif 000007